【事件の表示】
　特願２００２−１８５３５５「液晶表示装置の駆動方法及び装置」拒絶査定不服審判事件〔平成１５年　３月１９日出願公開、特開２００３−　８４７４２〕について、次のとおり審決する。
【結　論】
　本件審判の請求は、成り立たない。
【理　由】
１　手続の経緯  
　
 　本願は、平成１４年６月２５日（パリ条約による優先権主張２００１年９月４日、大韓民国）の出願であって、平成２０年４月１４日付けで手続補正がなされ、平成２０年８月２８日付けで拒絶査定がなされ（平成２０年９月３０日送達）、これに対して平成２０年１２月２５日に拒絶査定不服審判の請求がなされると共に、平成２１年１月２２日付けで手続補正がなされたものである。 
 　 
２　平成２１年１月２２日付け手続補正についての補正却下の決定 
　
[補正却下の決定の結論] 
　
　平成２１年１月２２日付け手続補正を却下する。 
　
[理由］独立特許要件違反 
　
 　平成２１年１月２２日付け手続補正（以下「本件補正」という。）により、本件補正前の請求項１は、 
「現在のフレームのソースデータの上位ビット・データと、１フレーム前のフレームのソースデータの上位ビット・データとの組み合わせに応じて、現在のフレームのソースデータに対する修正データを特定する段階と、
　現在のフレームの表示に係る前半期間において、前記修正データを液晶表示パネルに供給して該液晶表示パネルを駆動する段階と、
　現在のフレームの表示に係る後半期間において、現在のフレームのソースデータのみを液晶表示パネルに供給して該液晶表示パネルを駆動する段階とを有することを特徴とする液晶表示装置の駆動方法。」から 
「現在のフレームのソースデータの上位ビット・データと、１フレーム前のフレームのソースデータの上位ビット・データとの組み合わせに応じて、現在のフレームのソースデータに対する修正データを特定する段階と、
　現在のフレームの表示に係る前半期間において、前記修正データを液晶表示パネルに供給して該液晶表示パネルを駆動する段階と、
　現在のフレームの表示に係る後半期間において、現在のフレームのソースデータのみを液晶表示パネルに供給して該液晶表示パネルを駆動する段階とを有
し、
　
１フレームの期間内において、前半期間の長さと後半期間の長さとを可変に調整可能であることを
に補正された。 （下線は、補正箇所を明示するために請求人が付した。）
　
　そして、この補正は、「現在のフレームの表示に係る前半期間」と「現在のフレームの表示に係る後半期間」に関して、「１フレームの期間内において、前半期間の長さと後半期間の長さとを可変に調整可能であること」を限定するものである。
　
　したがって、この補正は、特許請求の範囲の減縮を目的とするものに該当する。 
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された明細書及び図面からみて、次のとおりのものと認める。 
「現在のフレームのソースデータの上位ビット・データと、１フレーム前のフレームのソースデータの上位ビット・データとの組み合わせに応じて、現在のフレームのソースデータに対する修正データを特定する段階と、
　現在のフレームの表示に係る前半期間において、前記修正データを液晶表示パネルに供給して該液晶表示パネルを駆動する段階と、
　現在のフレームの表示に係る後半期間において、現在のフレームのソースデータのみを液晶表示パネルに供給して該液晶表示パネルを駆動する段階とを有し、
　１フレームの期間内において、前半期間の長さと後半期間の長さとを可変に調整可能であることを特徴とする液晶表示装置の駆動方法。」
　
（２）引用発明 
（２Ａ−１）引用刊行物１の記載事項
　原査定の拒絶の理由に引用され、本願の優先日前に頒布された刊行物である特開平４−３１８５９５号公報（以下「引用刊行物１」という。）には、「液晶パネル駆動装置」の発明に関して、以下の事項が記載されている。 
　
＜記載事項１＞　　　　　　　　　　　　　　　　　　 
「【０００１】
【産業上の利用分野】本発明は、例えば液晶テレビ等に用いられる液晶パネルを駆動する液晶パネル駆動装置に関する。」
　
＜記載事項２＞　　　　　　　　　　　　　　　　　　 
「【０００２】
【従来の技術】例えば液晶テレビ等に用いられる液晶パネルを駆動する液晶パネル駆動装置として、従来は図５に示すような構成の回路が使用されていた。同図で、中間周波数による複合ビデオ信号が同期分離回路１に入力されると、同期分離回路１はこれらを同期分離してビデオ信号と水平同期信号及び垂直同期信号を得、ビデオ信号をＡ／Ｄ変換器３に、両同期信号をコントローラ２へそれぞれ出力する。このコントローラ２は、上記水平同期信号及び垂直同期信号から各種タイミング信号を作成し、Ａ／Ｄ変換器３、表示用のＲＡＭ４、セグメント駆動回路５、コモン駆動回路６へ出力する。
【０００３】上記Ａ／Ｄ変換器３は、コントローラ２からのサンプリングクロックに同期してビデオ信号を数ビットのデジタルデータに変換し、ＲＡＭ４へ出力する。
ＲＡＭ４は１フレーム分のビデオ（画像）信号を格納できるデュアルポートメモリで、コントローラ２から与えられるメモリアドレス及び書込み／読出し命令に従って動作し、Ａ／Ｄ変換器３から送られてくる例えば３ビットのビデオ信号を順次記憶し、セグメント駆動回路５に出力する。セグメント駆動回路５は、ＲＡＭ４からのデータに従って階調信号を再生すると共に、この階調信号に基づいてセグメント電極駆動信号を作成し、単純マトリックス駆動方式の液晶（ＬＣＤ）パネル７のセグメント電極を表示駆動する。また、コモン駆動回路６はコントローラ２からのタイミング信号に従ってコモン電極駆動信号を作成し、液晶パネル７のコモン電極を順次選択的に駆動する。
【０００４】上記液晶パネル７をＳＴＮ（スーパーツイステッド・ネマティック）液晶パネルで構成する場合は、フレーム周波数を高速化する時分割駆動方式を用いることで、コントラストを向上させることが可能となる。
この場合の駆動状態を図６により説明する。図６は上記図５の一部を取出して示すもので、ＲＡＭ４に記憶されるビデオ信号はコントローラ２の命令により同一のデータがｍ回づつセグメント駆動回路５に読出される。
【０００５】
【発明が解決しようとする課題】上記のようにして入力されたビデオ信号に対応して液晶パネル７を駆動するが、この液晶パネル７は累積応答効果によって作動するために階調の変化に対する応答速度が遅いという性質がある。そして、上述した時分割駆動によりフレーム周波数をｍ倍して液晶パネル７を駆動する方式でも、コントラストを向上させることは可能であるが、階調変化に対する応答速度を向上させることはできず、速く動く画像には対応できないという問題があった。
【０００６】本発明は上記のような実情に鑑みてなされたもので、その目的とするところは、単純マトリックスの液晶パネルを時分割駆動によりフレーム周波数を上げて表示駆動する場合に、階調変化の応答速度をも向上させることが可能な液晶パネル駆動装置を提供することにある。」
　
＜記載事項３＞
「【０００７】
【課題を解決するための手段及び作用】すなわち本発明は、表示用画像データを１フレーム単位で記憶する２つの画像メモリと、これらの２つの画像メモリそれぞれから読出される各１フレーム分の画像データの変化に従って同一画像データに対するｍ回（ｍ＝２，３，…）の駆動データを変化させて出力するデータ変換回路とを備え、このデータ変換回路より出力される画像データに基づいて液晶表示パネルを表示駆動するようにしたもので、画像データの変化に対応してその光透過率の立上りあるいは立下がりを急峻にし、変化の応答速度を高めて、表示品質を損なうことなく急激に変化する画像に対しても迅速に追随させることができる。」
　
＜記載事項４＞
「【０００９】
【実施例】以下図面を参照して本発明の一実施例を説明する。
【００１０】図１はその回路構成を示すもので、上記図６に示したものと同一部分には同一符号を付してその説明は省略する。図１に示すようにＡ／Ｄ変換器３で得られたデジタルの画像データは第１のＲＡＭ１１と第２のＲＡＭ１２とに出力される。第１のＲＡＭ１１及び第２のＲＡＭ１２はそれぞれ２フレーム分の記憶容量を有するデュアルポートメモリであり、コントローラ１３から与えられるメモリアドレス及び書込み／読出し命令に従って動作し、Ａ／Ｄ変換器３から送られてくる例えば３ビットの画像データを順次１フレーム分毎に交互に記憶する。そして、これら第１のＲＡＭ１１及び第２のＲＡＭ１２それぞれのデータの書込み中ではない側の記憶領域に書込まれた画像データがコントローラ１３からのフレーム周波数をｍ倍（ｍ＝２，３，…）した周波数の命令により同時にマルチプレクサ１４に読出される。
【００１１】マルチプレクサ１４は、コントローラ１３からのタイミング信号により第１のＲＡＭ１１及び第２のＲＡＭ１２からの２つの画像データのうち、２フレーム分前のタイミングで書込まれた一方を「Ｏｌｄ」側、１フレーム分前のタイミングで書込まれた他方を「Ｎｅｗ」側として並換えてデータ変換回路１５へ出力する。
　このデータ変換回路１５の詳細を図２に示す。図中の破線内がデータ変換回路１５を示し、内部にＲＯＭ２２とラッチ２３とから構成されている。ＲＯＭ２２には、Ａ０〜Ａ２に「Ｏｌｄ」側の画像データが、Ａ３〜Ａ５に「Ｎｅｗ」側の画像データがマルチプレクサ１４からそれぞれ入力され、Ａ６にモード信号ｄがコントローラ１３から入力される。また、ラッチ２３には、タイミング信号ｔがコントローラ１３から入力される。
【００１２】さらに、ＲＯＭ２２は図３に示すように構成される。すなわち、Ａ０〜Ａ２に入力される「Ｏｌｄ」側の画像データとＡ３〜Ａ５に入力される「Ｎｅｗ」側の画像データに対応して、出力するためのデータがモード毎に格納されている。（空白欄の記載は省略している。）そして、このデータ変換回路１５にマルチプレクサ１４から「Ｏｌｄ」側の画像データと「Ｎｅｗ」側の画像データが送られてくると、その内容から出力する画像データを後述するモードに対応するＲＯＭ２２の内容にしたがって判断してＤ０，Ｄ１としてラッチ２３に送り、タイミング信号ｔによってセグメント駆動回路５に出力する。
」
　
＜記載事項５＞
「【００１３】上記のような構成にあって、例えばＡ／Ｄ変換器３の出力する画像データが「０」〜「７」の階調を示す３ビット、セグメント駆動回路５の液晶パネル７（図示せず）に対する駆動階調が「０」〜「３」の２ビットとし、フレーム周波数を２倍（ｍ＝２）してセグメント駆動回路５により液晶パネル７の各セグメント電極を１フレーム中に２回表示駆動する場合のデータ変換回路１５のデータ変換内容を図４のセグメントの駆動波形を参照して以下に説明する。
【００１４】いま、「Ｏｌｄ」側の画像データが「０（＝０００）」、「Ｎｅｗ」側の画像データが「４（＝０１０）」であった場合、従来のただ単純にフレーム周波数をｍ倍してコントラストを向上させる方法では、「Ｏｌｄ」側の画像データはまったく考慮せずに「Ｎｅｗ」側の画像データ「４」のみによりセグメント駆動回路５に２回分のデータＰ（ｐ１　，ｐ２　）として（２，２）なるデータを図４（１）に示すように供給していた。
【００１５】ここで、Ｐ＝ｐ１　＋ｐ２　として考えるもので、ｐ１，ｐ２　に該当する数値の「２」はそのまま画像データの「２」の表示を示すのではなく、画像データ「４」を表示するためにその１回毎の数値が「２」となることを示すものである。
【００１６】しかしながら本願発明では、「Ｏｌｄ」側の画像データ「０」、「Ｎｅｗ」側の画像データが「４」の双方を考慮してデータ変換回路１５は、例えばＰａ（モード１）＝（３，３）、Ｐｂ（モード２）＝（３，２）のようなデータＰａ，Ｐｂのいずれかをセグメント駆動回路５に供給し、それぞれ図４（２），（３）のようにセグメントを駆動する。この場合、データＰａは「Ｏｌｄ」側と「Ｎｅｗ」側の画像データの内容によりデータの内容が高いほうに変化していることを判定し、液晶パネル７の光透過率の立上りをより急峻にするべく実際の「Ｎｅｗ」側の画像データ「４」より大きな値「（３＋３＝）６」をセグメント駆動回路５に供給するものである。同様にデータＰｂは、液晶パネル７の光透過率の立上りをより急峻にしながらも、元のデータの内容から大きく外れて表示品質を損なうことのないように、実際の「Ｎｅｗ」側の画像データ「４」より初めの区間ｐ１のみを大きくした値「（３＋２＝）５」をセグメント駆動回路５に供給するものである。
【００１７】同様に、「Ｏｌｄ」側の画像データ「５」、「Ｎｅｗ」側の画像データが「２」である場合、従来では「Ｎｅｗ」側の画像データ「２」のみによりセグメント駆動回路５に（１，１）なるデータを供給していたが、ここではＰａ＝（０，０）、Ｐｂ＝（０，１）のようなデータＰａ，Ｐｂのいずれかをセグメント駆動回路５に供給する。この場合、データＰａは「Ｏｌｄ」側と「Ｎｅｗ」側の画像データの内容によりデータの内容が低いほうに変化していることを判定し、液晶パネル７の光透過率の立下がりをより急峻にするべく実際の「Ｎｅｗ」側の画像データ「２」より小さな値「（０＋０＝）０」をセグメント駆動回路５に供給するものである。また、データＰｂは、液晶パネル７の光透過率の立下がりをより急峻にしながらも、元のデータの内容から大きく外れて表示品質を損なうことのないように、実際の「Ｎｅｗ」側の画像データ「２」より初めの区間ｐ１　のみを小さくした値「（０＋１＝）１」をセグメント駆動回路５に供給するものである。」
　
＜記載事項６＞
「【００２０】
【発明の効果】以上詳記した如く本発明によれば、表示用画像データを１フレーム単位で記憶する２つの画像メモリと、これらの２つの画像メモリそれぞれから読出される各１フレーム分の画像データの変化に従って同一画像データに対するｍ回（ｍ＝２，３，…）の駆動データを変化させて出力するデータ変換回路とを備え、このデータ変換回路より出力される画像データに基づいて液晶表示パネルを表示駆動するようにしたので、画像データの変化に対応してその光透過率の立上りあるいは立下がりを急峻にし、変化の応答速度を高めて、表示品質を損なうことなく急激に変化する画像に対しても迅速に追随させることが可能な液晶パネル駆動装置を提供することができる。」
　
（２Ａ−２）引用刊行物１に記載された発明
（２Ａ−２−１）
　引用刊行物１に記載された発明の産業上の利用分野を説明する上記記載事項１には、「【０００１】・・・本発明は、・・・液晶パネルを駆動する液晶パネル駆動装置に関する。」と、引用刊行物１に記載された発明の、発明が解決しようとする課題を説明する上記記載事項２には、「【０００４】上記液晶パネル７をＳＴＮ（スーパーツイステッド・ネマティック）液晶パネルで構成する場合は、フレーム周波数を高速化する時分割駆動方式を用いることで、コントラストを向上させることが可能となる。・・・【０００５】・・・そして、上述した時分割駆動によりフレーム周波数をｍ倍して液晶パネル７を駆動する方式でも、コントラストを向上させることは可能であるが、階調変化に対する応答速度を向上させることはできず、速く動く画像には対応できないという問題があった。【０００６】本発明は上記のような実情に鑑みてなされたもので、その目的とするところは、単純マトリックスの液晶パネルを時分割駆動によりフレーム周波数を上げて表示駆動する場合に、階調変化の応答速度をも向上させることが可能な液晶パネル駆動装置を提供することにある。」と記載されている。
　この記載によれば、引用刊行物１には、「単純マトリックスの液晶パネル駆動装置」の発明が記載されているとともに、前記液晶パネルの表示駆動方式に係る「単純マトリックスの液晶パネルの時分割駆動方式」の発明が記載されている。
　
（２Ａ−２−２）
　引用刊行物１に記載された発明の、発明の課題を解決するための手段及び作用を説明する上記記載事項３には、「【０００７】・・・すなわち本発明は、表示用画像データを１フレーム単位で記憶する２つの画像メモリと、これらの２つの画像メモリそれぞれから読出される各１フレーム分の画像データの変化に従って同一画像データに対するｍ回（ｍ＝２，３，…）の駆動データを変化させて出力するデータ変換回路とを備え、このデータ変換回路より出力される画像データに基づいて液晶表示パネルを表示駆動するようにしたもので、画像データの変化に対応してその光透過率の立上りあるいは立下がりを急峻にし、変化の応答速度を高めて、表示品質を損なうことなく急激に変化する画像に対しても迅速に追随させることができる。」と、引用刊行物１に記載された発明の一実施例を説明する上記記載事項４には、「【００１１】マルチプレクサ１４は、コントローラ１３からのタイミング信号により第１のＲＡＭ１１及び第２のＲＡＭ１２からの２つの画像データのうち、２フレーム分前のタイミングで書込まれた一方を「Ｏｌｄ」側、１フレーム分前のタイミングで書込まれた他方を「Ｎｅｗ」側として並換えてデータ変換回路１５へ出力する。・・・ＲＯＭ２２には、Ａ０〜Ａ２に「Ｏｌｄ」側の画像データが、Ａ３〜Ａ５に「Ｎｅｗ」側の画像データがマルチプレクサ１４からそれぞれ入力され、Ａ６にモード信号ｄがコントローラ１３から入力される。また、ラッチ２３には、タイミング信号ｔがコントローラ１３から入力される。【００１２】さらに、ＲＯＭ２２は図３に示すように構成される。すなわち、Ａ０〜Ａ２に入力される「Ｏｌｄ」側の画像データとＡ３〜Ａ５に入力される「Ｎｅｗ」側の画像データに対応して、出力するためのデータがモード毎に格納されている。（空白欄の記載は省略している。）そして、このデータ変換回路１５にマルチプレクサ１４から「Ｏｌｄ」側の画像データと「Ｎｅｗ」側の画像データが送られてくると、その内容から出力する画像データを後述するモードに対応するＲＯＭ２２の内容にしたがって判断してＤ０，Ｄ１としてラッチ２３に送り、タイミング信号ｔによってセグメント駆動回路５に出力する。」と記載されている。
　そして、引用刊行物１において、「ＲＯＭ２２」の内容は、「Ａ０〜Ａ２に入力される「Ｏｌｄ」側の画像データとＡ３〜Ａ５に入力される「Ｎｅｗ」側の画像データに対応して、出力するためのデータがモード毎に格納されている」ものであって、図３に図示されているように、「Ｏｌｄ」側の画像データと、「Ｎｅｗ」側の画像データが指定されることにより、その組み合わせに応じて、指定された場所に格納されている、出力するためのデータが選択されるものである。ここで、ＲＯＭ２２に格納された出力するためのデータは、段落【０００７】に記載されているように、「ｍ回（ｍ＝２，３，…）の駆動データ」である。
　よって、これらの記載によれば、引用刊行物１に記載された「単純マトリックスの液晶パネルの時分割駆動方式」は、「２フレーム分前のタイミングで書込まれた「Ｏｌｄ」側の画像データと、１フレーム分前のタイミングで書込まれた「Ｎｅｗ」側の画像データに対応して、その組み合わせに応じて、ＲＯＭ２２の内容にしたがってｍ回（ｍ＝２，３，…）の駆動データを選択する段階」を有している。
　
（２Ａ−２−３）
　引用刊行物１において、従来の技術を説明する上記記載事項２には、「【０００２】【従来の技術】例えば液晶テレビ等に用いられる液晶パネルを駆動する液晶パネル駆動装置として、従来は図５に示すような構成の回路が使用されていた。同図で、中間周波数による複合ビデオ信号が同期分離回路１に入力されると、同期分離回路１はこれらを同期分離してビデオ信号と水平同期信号及び垂直同期信号を得、ビデオ信号をＡ／Ｄ変換器３に、両同期信号をコントローラ２へそれぞれ出力する。・・・【０００３】上記Ａ／Ｄ変換器３は、コントローラ２からのサンプリングクロックに同期してビデオ信号を数ビットのデジタルデータに変換し、ＲＡＭ４へ出力する。ＲＡＭ４は１フレーム分のビデオ（画像）信号を格納できるデュアルポートメモリで、コントローラ２から与えられるメモリアドレス及び書込み／読出し命令に従って動作し、Ａ／Ｄ変換器３から送られてくる例えば３ビットのビデオ信号を順次記憶し、セグメント駆動回路５に出力する。セグメント駆動回路５は、ＲＡＭ４からのデータに従って階調信号を再生すると共に、この階調信号に基づいてセグメント電極駆動信号を作成し、単純マトリックス駆動方式の液晶（ＬＣＤ）パネル７のセグメント電極を表示駆動する。また、コモン駆動回路６はコントローラ２からのタイミング信号に従ってコモン電極駆動信号を作成し、液晶パネル７のコモン電極を順次選択的に駆動する。【０００４】上記液晶パネル７をＳＴＮ（スーパーツイステッド・ネマティック）液晶パネルで構成する場合は、フレーム周波数を高速化する時分割駆動方式を用いることで、コントラストを向上させることが可能となる。この場合の駆動状態を図６により説明する。図６は上記図５の一部を取出して示すもので、ＲＡＭ４に記憶されるビデオ信号はコントローラ２の命令により同一のデータがｍ回づつセグメント駆動回路５に読出される。」と記載されている。
　ここで、段落【０００４】に記載された「ｍ回づつ」「読み出される」「同一のデータ」は、図６の「ＲＡＭ４に記憶されるビデオ信号」である。そして、「図６は上記図５の一部を取出して示すもの」であるから、「ＲＡＭ４に記憶されるビデオ信号」は、段落【０００３】によれば、図５における「Ａ／Ｄ変換器３から送られてくる例えば３ビットのビデオ信号」である。
　したがって、この記載によれば、引用刊行物１において、従来の技術の「フレーム周波数を高速化する時分割駆動方式」は、「入力される複数ビットのビデオ信号と同じデータを１フレームにｍ回づつ読み出すことによって、フレーム周波数を高速化する時分割駆動方式」であるといえる。
　
（２Ａ−２−４）
ア　引用刊行物１に記載された発明の一実施例を説明する上記記載事項５には、「【００１３】上記のような構成にあって、例えばＡ／Ｄ変換器３の出力する画像データが「０」〜「７」の階調を示す３ビット、セグメント駆動回路５の液晶パネル７（図示せず）に対する駆動階調が「０」〜「３」の２ビットとし、フレーム周波数を２倍（ｍ＝２）してセグメント駆動回路５により液晶パネル７の各セグメント電極を１フレーム中に２回表示駆動する場合のデータ変換回路１５のデータ変換内容を図４のセグメントの駆動波形を参照して以下に説明する。【００１４】いま、「Ｏｌｄ」側の画像データが「０（＝０００）」、「Ｎｅｗ」側の画像データが「４（＝０１０）」であった場合、従来のただ単純にフレーム周波数をｍ倍してコントラストを向上させる方法では、「Ｏｌｄ」側の画像データはまったく考慮せずに「Ｎｅｗ」側の画像データ「４」のみによりセグメント駆動回路５に２回分のデータＰ（ｐ１　，ｐ２　）として（２，２）なるデータを図４（１）に示すように供給していた。【００１５】ここで、Ｐ＝ｐ１　＋ｐ２　として考えるもので、ｐ１，ｐ２　に該当する数値の「２」はそのまま画像データの「２」の表示を示すのではなく、画像データ「４」を表示するためにその１回毎の数値が「２」となることを示すものである。【００１６】しかしながら本願発明では、「Ｏｌｄ」側の画像データ「０」、「Ｎｅｗ」側の画像データが「４」の双方を考慮してデータ変換回路１５は、例えばＰａ（モード１）＝（３，３）、Ｐｂ（モード２）＝（３，２）のようなデータＰａ，Ｐｂのいずれかをセグメント駆動回路５に供給し、それぞれ図４（２），（３）のようにセグメントを駆動する。この場合、データＰａは「Ｏｌｄ」側と「Ｎｅｗ」側の画像データの内容によりデータの内容が高いほうに変化していることを判定し、液晶パネル７の光透過率の立上りをより急峻にするべく実際の「Ｎｅｗ」側の画像データ「４」より大きな値「（３＋３＝）６」をセグメント駆動回路５に供給するものである。同様にデータＰｂは、液晶パネル７の光透過率の立上りをより急峻にしながらも、元のデータの内容から大きく外れて表示品質を損なうことのないように、実際の「Ｎｅｗ」側の画像データ「４」より初めの区間ｐ１のみを大きくした値「（３＋２＝）５」をセグメント駆動回路５に供給するものである。【００１７】同様に、「Ｏｌｄ」側の画像データ「５」、「Ｎｅｗ」側の画像データが「２」である場合、従来では「Ｎｅｗ」側の画像データ「２」のみによりセグメント駆動回路５に（１，１）なるデータを供給していたが、ここではＰａ＝（０，０）、Ｐｂ＝（０，１）のようなデータＰａ，Ｐｂのいずれかをセグメント駆動回路５に供給する。この場合、データＰａは「Ｏｌｄ」側と「Ｎｅｗ」側の画像データの内容によりデータの内容が低いほうに変化していることを判定し、液晶パネル７の光透過率の立下がりをより急峻にするべく実際の「Ｎｅｗ」側の画像データ「２」より小さな値「（０＋０＝）０」をセグメント駆動回路５に供給するものである。また、データＰｂは、液晶パネル７の光透過率の立下がりをより急峻にしながらも、元のデータの内容から大きく外れて表示品質を損なうことのないように、実際の「Ｎｅｗ」側の画像データ「２」より初めの区間ｐ１　のみを小さくした値「（０＋１＝）１」をセグメント駆動回路５に供給するものである。」と記載されている。
　この記載によれば、引用刊行物１に記載された発明の一実施例の説明として、「例えばＡ／Ｄ変換器３の出力する画像データが「０」〜「７」の階調を示す３ビット、セグメント駆動回路５の液晶パネル７（図示せず）に対する駆動階調が「０」〜「３」の２ビットとし、フレーム周波数を２倍（ｍ＝２）してセグメント駆動回路５により液晶パネル７の各セグメント電極を１フレーム中に２回表示駆動する場合のデータ変換回路１５のデータ変換内容」として、
・従来の『「Ｏｌｄ」側の画像データはまったく考慮せずに「Ｎｅｗ」側の画像データ「４」のみによりセグメント駆動回路５に２回分のデータＰ（ｐ１　，ｐ２　）として（２，２）なるデータを・・・供給』することに代えて、「モード２」として、『液晶パネル７の光透過率の立上りをより急峻にしながらも、元のデータの内容から大きく外れて表示品質を損なうことのないように、実際の「Ｎｅｗ」側の画像データ「４」より初めの区間ｐ１のみを大きく』する処理を行ったデータである「Ｐｂ＝（３，２）」を、初めの区間と、その次の区間に供給するように、データ変換すること、及び、
・『従来では「Ｎｅｗ」側の画像データ「２」のみによりセグメント駆動回路５に（１，１）なるデータを供給』することに代えて、『液晶パネル７の光透過率の立下がりをより急峻にしながらも、元のデータの内容から大きく外れて表示品質を損なうことのないように、実際の「Ｎｅｗ」側の画像データ「２」より初めの区間ｐ１　のみを小さく』する処理を行ったデータである「Ｐｂ＝（０，１）」を、初めの区間と、その次の区間に供給するように、データ変換すること
が記載されている。
　すなわち、引用刊行物１に記載された発明における「データ変換回路１５のデータ変換内容」として、１フレーム中に２回表示駆動する場合、その初めの区間のみに、光透過率の立上がり／立下がりをより急峻にするよう変更した画像データを液晶パネル７に供給し、残りの区間に、従来の画像データをそのまま液晶パネル７に供給するように、データ変換することが記載されている。
　
イ　ここで、段落【００１３】に「例えば、・・・表示駆動する場合のデータ変換回路１５のデータ変換内容を・・・以下に説明する。」と記載されているように、上記記載事項５の記載は、引用刊行物１に記載された発明における「データ変換回路１５のデータ変換内容」の一例である。
　そして、引用刊行物１に記載された発明は、発明が解決しようとする課題を説明する上記記載事項２に、「【０００６】本発明は上記のような実情に鑑みてなされたもので、その目的とするところは、単純マトリックスの液晶パネルを時分割駆動によりフレーム周波数を上げて表示駆動する場合に、階調変化の応答速度をも向上させることが可能な液晶パネル駆動装置を提供することにある。」と記載されているように、従来の「時分割駆動方式」を改良した発明であるところ、（２Ａ−２−３）で述べたように、引用刊行物１において、従来の技術の「フレーム周波数を高速化する時分割駆動方式」は、「入力される複数ビットのビデオ信号と同じデータを１フレームにｍ回づつ読み出すことによって、フレーム周波数を高速化する時分割駆動方式」である。
　よって、引用刊行物１に記載された発明における「データ変換回路１５のデータ変換内容」としては、『１フレーム中に２回表示駆動する場合に、入力される「画像データ」が「３ビット」、「セグメント駆動回路５の液晶パネル７・・・に対する駆動階調」が「２ビット」のもの』に加え、入力される複数ビットのビデオ信号と同じデータが液晶パネルに駆動データとして供給されるもの、すなわち、『１フレーム中にｍ回表示駆動する場合に、入力される画像データのビット数と、液晶パネル７のセグメント駆動回路５の駆動階調のビット数が同じもの』も引用刊行物１に記載されているに等しい事項である。このことは、引用刊行物１の特許請求の範囲の請求項１に、「同一画像データに対するｍ回（ｍ＝２，３，…）の駆動データを変化させて出力する」と記載されていることとも整合している。
　
ウ　そして、イで述べた「入力される画像データのビット数と、セグメント駆動回路５の液晶パネル７に対する駆動階調のビット数が同じものである場合」に、アで述べた「初めの区間のみに、光透過率の立上がり／立下がりをより急峻にするよう変更した画像データを液晶パネル７に供給し、残りの区間には、従来の画像データをそのまま液晶パネル７に供給するように、データ変換する」ことは、換言すると、初めの区間のみに、入力される画像データに対して光透過率の立上がり／立下がりをより急峻にするよう変更した画像データを液晶パネル７に供給し、残りの区間に、入力される画像データをそのまま液晶パネル７に供給するように、データ変換することである。
　
エ　つまるところ、イで述べた「１フレーム中にｍ回表示駆動する場合に、入力される画像データのビット数と、セグメント駆動回路５の液晶パネル７に対する駆動階調のビット数が同じものである場合」の、アで述べた「その初めの区間のみに、光透過率の立上がり／立下がりをより急峻にするよう変更した画像データを液晶パネル７に供給し、残りの区間に、従来の画像データをそのまま液晶パネル７に供給するように、データ変換する」ことは、「１フレーム中にｍ回表示駆動する場合に、初めの区間のみに、入力される画像データに対して光透過率の立上がり／立下がりをより急峻にするよう変更した画像データを液晶パネル７のセグメント駆動回路５に供給し、残りの区間に、入力される画像データをそのまま液晶パネル７のセグメント駆動回路５に供給するように、データ変換する」ことを意味している。
　そして、（２Ａ−２−２）で述べたことから、引用刊行物１に記載された「単純マトリックスの液晶パネルの時分割駆動方式」は、ＲＯＭ２２の内容にしたがってｍ回（ｍ＝２，３，…）の駆動データを選択する段階を有しているものであって、ＲＯＭ２２の内容が、上記したデータ変換を実現するものであるから、１フレーム中にｍ回表示駆動するデータとして、初めの区間の駆動データに、入力される画像データに対して光透過率の立上がり／立下がりをより急峻にするよう変更した画像データが選択され、残りの（ｍ−１）個の区間の駆動データに、入力される画像データそのままが選択され、これら選択されたｍ回分の駆動データにしたがって、各区間で液晶パネル７のセグメント駆動回路５に駆動データが供給されるものである。
　したがって、引用刊行物１に記載された「単純マトリックスの液晶パネルの時分割駆動方式」は、「１フレーム中にｍ回表示駆動する場合に、初めの区間のみに、入力される画像データに対して光透過率の立上がり／立下がりをより急峻にするよう変更した画像データを液晶パネル７のセグメント駆動回路５に供給する段階と、残りの区間に、入力される画像データをそのまま液晶パネル７のセグメント駆動回路５に供給する段階」を有しているといえる。
　
（２Ａ−２−５）
　（２Ａ−２−１）、（２Ａ−２−２）、（２Ａ−２−４）によれば、引用刊行物１には、以下の引用発明１が記載されている。 
「単純マトリックスの液晶パネル７の時分割駆動方式であって、
　２フレーム分前のタイミングで書込まれた「Ｏｌｄ」側の画像データと、１フレーム分前のタイミングで書込まれた「Ｎｅｗ」側の画像データに対応して、その組み合わせに応じて、ＲＯＭ２２の内容にしたがってｍ回（ｍ＝２，３，…）の駆動データを選択する段階と、
　初めの区間のみに、入力される画像データに対して光透過率の立上がり／立下がりをより急峻にするよう変更した画像データを液晶パネル７のセグメント駆動回路５に供給する段階と、
　残りの区間に、入力される画像データをそのまま液晶パネル７のセグメント駆動回路５に供給する段階と、
　を有する液晶パネル７の時分割駆動方式。」
　
（２Ｂ−１）引用刊行物２の記載事項
　同じく、原査定の拒絶の理由に引用され、本願の優先日前に頒布された刊行物である特開平１１−１２６０５０号公報（以下「引用刊行物２」という。）には、「液晶表示パネル駆動装置と駆動方法」の発明に関して、以下の事項が記載されている。 
　
＜記載事項７＞
「【０００２】また、本発明は液晶表示パネルにおける応答速度改善回路に関するものである。」
　
＜記載事項８＞
「【００４６】［実施形態２］図２は実施形態２による液晶表示パネル駆動装置の構成を示すブロック図である。これは実施形態１の液晶表示パネル駆動装置の詳細な回路構成の一例である。
【００４７】２０１は現在の映像信号を入力するための入力端子、２０２は現在の映像信号を入力とする第１のエンコーダ回路（エンコーダ１）、２０３は１フレームまたは１フィールドだけ映像信号を遅延させるためのフレームメモリ、２０４はフレームメモリ２０３より出力される１フレームまたは１フィールド前の映像信号を入力とする第２のエンコーダ回路（エンコーダ２）であり、２０５は第１のエンコーダ回路２０１と第２のエンコーダ回路２０３に接続されるＬＵＴ、２０６は現在の映像信号とＬＵＴ２０５より出力される補正データを加減算するための加算器であり、２０７は出力端子である。ＬＵＴ２０５と加減算器２０６で実施形態１の補正表示映像信号演算手段５を形成する。」
　
＜記載事項９＞
「【００５８】フレームメモリより出力された１フレームまたは１フィールド前の映像信号は、第２のエンコーダ回路２０４に入力され、入力信号のレベルにより重み付けされた信号に変換される。ここでは、第１のエンコーダ回路と同様に８ｂｉｔの入力信号を４ｂｉｔに変換するものとして説明する。
【００５９】第２のエンコーダ回路２０４により重み付けをされた信号は、ＬＵＴ２０５に入力される。
【００６０】従って、ＬＵＴ２０５には、第１のエンコーダ回路より出力される４ｂｉｔの信号と第２のエンコーダ回路より出力される４ｂｉｔの信号の計８ｂｉｔの信号が入力される。
【００６１】ＬＵＴ２０５はアドレス８ｂｉｔを入力して、そのアドレスにより選択されるデータ８ｂｉｔを出力する。
【００６２】本例では、第１のエンコーダ回路２０２からの出力４ｂｉｔがＬＵＴ２０５のアドレス入力の上位４ｂｉｔに接続され、第２のエンコーダ回路２０４からの出力４ｂｉｔがＬＵＴ２０５のアドレス入力の下位４ｂｉｔに入力される。
【００６３】ＬＵＴ２０５のデータには、各々のアドレスに対応した補正値を入力しておく。
【００６４】図８はＬＵＴ２０５の一例であり、アドレスの上位４ｂｉｔ（現在の映像信号レベル）とアドレスの下位４ｂｉｔ（１フレームまたは１フィールド前の映像信号レベル）から現在の映像信号に加減算する補正量を選択し出力される。
【００６５】例えば、１フレームまたは１フィールド前の信号レベルが００００ｂであり、現在の映像信号レベルが０１１１ｂである場合には、補正値として＋３１（０００１  １１１１ｂ）が選択される。
【００６６】補正値＋３１と現在の映像信号を加減算器２０６にて、加算し、液晶表示パネルに印加することにより、表示速度の劣化の無い映像を表示することが可能となる。」
　
＜記載事項１０＞
「【００６７】本実施形態では入力映像信号を８ｂｉｔとし、エンコーダ回路にて４ｂｉｔに圧縮した後、補正データを演算する構成としたが、入力信号およびエンコーダによる圧縮されるｂｉｔ数は、要求される演算精度および使用可能なハード量との兼ね合いから適当なｂｉｔ数を選べばよい。
【００６８】また、入力映像信号８ｂｉｔの上位４ｂｉｔのみを使うなどの簡単な構成で実現することもできる。」
　
（２Ｂ−２）引用刊行物２に記載された発明
（２Ｂ−２−１）
　上記記載事項７には、「【０００２】・・・本発明は液晶表示パネルにおける応答速度改善回路に関するものである。」と記載されている。
　この記載によれば、引用刊行物２には、「液晶表示パネルにおける応答速度改善回路」の発明が記載されている。
　
（２Ｂ−２−２）
　上記記載事項８には、「【００４７】２０１は現在の映像信号を入力するための入力端子、２０２は現在の映像信号を入力とする第１のエンコーダ回路（エンコーダ１）、２０３は１フレームまたは１フィールドだけ映像信号を遅延させるためのフレームメモリ、２０４はフレームメモリ２０３より出力される１フレームまたは１フィールド前の映像信号を入力とする第２のエンコーダ回路（エンコーダ２）であり、２０５は第１のエンコーダ回路２０１と第２のエンコーダ回路２０３に接続されるＬＵＴ・・・」と、上記記載事項９には、「【００５８】フレームメモリより出力された１フレームまたは１フィールド前の映像信号は、第２のエンコーダ回路２０４に入力され、入力信号のレベルにより重み付けされた信号に変換される。ここでは、第１のエンコーダ回路と同様に８ｂｉｔの入力信号を４ｂｉｔに変換するものとして説明する。【００５９】第２のエンコーダ回路２０４により重み付けをされた信号は、ＬＵＴ２０５に入力される。【００６０】従って、ＬＵＴ２０５には、第１のエンコーダ回路より出力される４ｂｉｔの信号と第２のエンコーダ回路より出力される４ｂｉｔの信号の計８ｂｉｔの信号が入力される・・・【００６４】図８はＬＵＴ２０５の一例であり、アドレスの上位４ｂｉｔ（現在の映像信号レベル）とアドレスの下位４ｂｉｔ（１フレームまたは１フィールド前の映像信号レベル）から現在の映像信号に加減算する補正量を選択し出力される。」と、上記記載事項１０には、「【００６７】本実施形態では入力映像信号を８ｂｉｔとし、エンコーダ回路にて４ｂｉｔに圧縮した後、補正データを演算する構成としたが、入力信号およびエンコーダによる圧縮されるｂｉｔ数は、要求される演算精度および使用可能なハード量との兼ね合いから適当なｂｉｔ数を選べばよい。」と記載されている。
　これらの記載によれば、引用刊行物２に記載された「液晶表示パネルにおける応答速度改善回路」は、「現在の映像信号８ｂｉｔを４ｂｉｔに圧縮し、１フィールド前の映像信号８ｂｉｔを４ｂｉｔに圧縮し、現在の映像信号を圧縮した４ｂｉｔの信号と、１フィールド前の映像信号を圧縮した４ｂｉｔの信号から現在の映像信号に加算する補正量を選択する」ものである。
　
（２Ｂ−２−３）
　上記記載事項１０には、「【００６８】また、入力映像信号８ｂｉｔの上位４ｂｉｔのみを使うなどの簡単な構成で実現することもできる。」と記載されている。
　この記載及び（２Ｂ−２−２）によれば、引用刊行物２に記載された「液晶表示パネルにおける応答速度改善回路」は、「現在の映像信号８ｂｉｔから上位４ｂｉｔを抽出し、１フィールド前の映像信号８ｂｉｔから上位４ｂｉｔを抽出し、現在の映像信号から抽出した上位４ｂｉｔの信号と、１フィールド前の映像信号から抽出した上位４ｂｉｔの信号から現在の映像信号に加算する補正量を選択する」ものである。
　
（２Ｂ−２−４）
　（２Ｂ−２−１）、（２Ｂ−２−３）によれば、引用刊行物２には、以下の引用発明２が記載されている。 
「液晶表示パネルにおける応答速度改善回路であって、
　現在の映像信号８ｂｉｔから上位４ｂｉｔを抽出し、１フィールド前の映像信号８ｂｉｔから上位４ｂｉｔを抽出し、現在の映像信号から抽出した上位４ｂｉｔの信号と、１フィールド前の映像信号から抽出した上位４ｂｉｔの信号から現在の映像信号に加算する補正量を選択する
　液晶表示パネルにおける応答速度改善回路。」
　
（３）対比 
　本願補正発明と引用発明１とを比較する。 
　
（３−１）
　引用発明１の「液晶パネル７」は、本願補正発明の「液晶表示パネル」及び「液晶表示装置」に、引用発明１の「時分割駆動方式」は、本願補正発明の「駆動方法」に相当する。
　また、引用発明１の、単純マトリックスの液晶パネル７の「セグメント駆動回路５」に供給される、「画像データ」と、本願補正発明の、アクティブマトリクスタイプの液晶表示装置のデータライン（本願の明細書の段落【０００２】、【００３７】参照。）に供給される、「ソースデータ」とは共に、「信号線側に印加される画像データ」である点で共通する。
　
（３−２）
　引用発明１の「２フレーム分前のタイミングで書込まれた「Ｏｌｄ」側の画像データ」と、本願補正発明の「１フレーム前のソースデータ」とは共に、「表示対象の１フレーム前の、信号線側に印加される画像データ」である点で共通する。また、引用発明１の「１フレーム分前のタイミングで書込まれた「Ｎｅｗ」側の画像データ」と、本願補正発明の「現在のフレームのソースデータ」とは共に、「表示対象の、信号線側に印加される画像データ」である点で共通する。
　また、引用発明１において、「ｍ回（ｍ＝２，３，…）の駆動データである画像データ」は、「初めの区間」の「画像データ」のみが「入力される画像データに対して光透過率の立上がり／立下がりをより急峻にするよう変更した画像データ」であり、「残りの区間」の「画像データ」が「入力される画像データそのまま」であるから、引用発明１において、「ｍ回（ｍ＝２，３，…）の駆動データである画像データを選択する」ことは、「入力される画像データに対して光透過率の立上がり／立下がりをより急峻にするよう変更した画像データ」を選択することでもある。
　そして、引用発明１の「入力される画像データに対して光透過率の立上がり／立下がりをより急峻にするよう変更した画像データ」と、本願補正発明の「修正データ」とは共に、「信号線側に印加される修正データ」である点で共通する。
　よって、引用発明１の「２フレーム分前のタイミングで書込まれた「Ｏｌｄ」側の画像データと、１フレーム分前のタイミングで書込まれた「Ｎｅｗ」側の画像データに対応して、その組み合わせに応じて、ＲＯＭ２２の内容にしたがってｍ回（ｍ＝２，３，…）の駆動データを選択する段階」と、本願補正発明の「現在のフレームのソースデータの上位ビット・データと、１フレーム前のフレームのソースデータの上位ビット・データとの組み合わせに応じて、現在のフレームのソースデータに対する修正データを特定する段階」とは共に、「表示対象の、信号線側に印加される画像データと、表示対象の１フレーム前の、信号線側に印加される画像データとの組み合わせに応じて、信号線側に印加される修正データを特定する段階」である点で共通する。
　
（３−３）
　引用発明１の「初めの区間」は、本願補正発明の「フレームの表示に係る前半期間」に、引用発明１の「残りの区間」は、本願補正発明の「フレームの表示に係る後半期間」に相当する。
　そして、（３−１）の相当関係から、引用発明１の「液晶パネル７」は、本願補正発明の「液晶表示装置」に相当し、引用発明１の「画像データ」と、本願補正発明の「ソースデータ」とは共に、「信号線側に印加される画像データ」である点で共通し、（３−２）の相当関係から、引用発明１の「入力される画像データに対して光透過率の立上がり／立下がりをより急峻にするよう変更した画像データ」と、本願補正発明の「修正データ」とは共に、「信号線側に印加される修正データ」である点で共通するから、
引用発明１の「初めの区間のみに、入力される画像データに対して光透過率の立上がり／立下がりをより急峻にするよう変更した画像データを液晶パネル７のセグメント駆動回路５に供給する段階」と、本願補正発明の「現在のフレームの表示に係る前半期間において、前記修正データを液晶表示パネルに供給して該液晶表示パネルを駆動する段階」とは共に、「表示対象のフレームの表示に係る前半期間において、前記信号線側に印加される修正データを液晶表示パネルに供給して該液晶表示パネルを駆動する段階」である点で共通し、また、
引用発明１の「残りの区間に、入力される画像データをそのまま液晶パネル７のセグメント駆動回路５に供給する段階」と、本願補正発明の「現在のフレームの表示に係る後半期間において、現在のフレームのソースデータのみを液晶表示パネルに供給して該液晶表示パネルを駆動する段階」とは共に、「表示対象のフレームの表示に係る後半期間において、前記表示対象の、信号線側に印加される画像データを液晶表示パネルに供給して該液晶表示パネルを駆動する段階」である点で共通する。
　
（３−４）
　したがって、本願補正発明と引用発明１の両者は、 
 「表示対象の、信号線側に印加される画像データと、表示対象の１フレーム前の、信号線側に印加される画像データとの組み合わせに応じて、信号線側に印加される修正データを特定する段階と、
　表示対象のフレームの表示に係る前半期間において、前記信号線側に印加される修正データを液晶表示パネルに供給して該液晶表示パネルを駆動する段階と、
　表示対象のフレームの表示に係る後半期間において、前記表示対象の、信号線側に印加される画像データを液晶表示パネルに供給して該液晶表示パネルを駆動する段階と
を有する液晶表示装置の駆動方法。」の点で一致し、以下の点で相違する。 
　
[相違点１] 
　信号線側に印加される画像データに関し、本願補正発明ではアクティブマトリックスタイプの液晶表示装置のデータラインに供給される「ソースデータ」であるのに対し、引用発明１では単純マトリックス表示装置のデータ線に供給される「画像データ」である点。
　
[相違点２] 
　修正データを特定するために使用される画像データのフレームに関し、本願補正発明では「現在のフレームと１フレーム前のフレーム」であるのに対し、引用発明１では「１フレーム分前のタイミングで書込まれた「Ｎｅｗ」側の画像データと２フレーム分前のタイミングで書込まれた「Ｏｌｄ」側の画像データ」である点。これに付随して、表示対象のフレームが本願補正発明では「現在のフレーム」であるのに対し、引用発明１では「１フレーム前のフレーム」である点。
　
[相違点３] 
　修正データを特定するために用いられる表示対象の画像データと、表示対象の１フレーム前の画像データが、本願補正発明ではそれぞれの「上位ビット・データ」であるのに対し、引用発明１ではそのような発明特定事項が限定されていない点。
　
[相違点４] 
　前半期間の長さと後半期間の長さに関し、本願補正発明では「１フレームの期間内において、前半期間の長さと後半期間の長さとを可変に調整可能である」のに対し、引用発明１ではそのような発明特定事項が限定されていない点。
　
（４）当審の判断 
　上記相違点について検討する。
　
相違点１について
　「液晶表示装置の駆動制御」の技術分野において、単純マトリックスの液晶表示装置に使用されている技術をアクティブマトリクスの液晶表示装置に転用することは、一般に行われていることである。
　よって、引用発明１の液晶表示装置として、アクティブマトリクスの液晶パネルを採用し、データ側の信号線に供給される画像データを、ソース線に供給される画像データであるソースデータとすることに、格別の困難性は認められない。
　
　したがって、上記相違点１に係る本願発明の発明特定事項は、当業者が引用発明１に基づいて容易に想到し得たことである。
　
相違点２、３について
　相違点２、３についてまとめて検討する。
　（２Ｂ−２−４）で述べたように、引用刊行物２には、以下の引用発明２が記載されている。
「液晶表示パネルにおける応答速度改善回路であって、
　現在の映像信号８ｂｉｔから上位４ｂｉｔを抽出し、１フィールド前の映像信号８ｂｉｔから上位４ｂｉｔを抽出し、現在の映像信号から抽出した上位４ｂｉｔの信号と、１フィールド前の映像信号から抽出した上位４ｂｉｔの信号から現在の映像信号に加算する補正量を選択する
　液晶表示パネルにおける応答速度改善回路。」
　
　そして、引用発明１と引用発明２とは「液晶表示装置の駆動制御」という同一の技術分野に属し、「液晶の応答速度の改善」という共通の課題を有し、共に、表示対象の画像データと、表示対象の１フレーム前の画像データに基づいて、液晶の応答速度を改善する修正データを特定するものである。
　よって、引用発明１において、表示対象の画像データと、表示対象の１フレーム前の画像データに基づいて、修正データを特定する際に、引用発明２の技術を適用し、現在の画像データの上位ビット・データと、１フレーム前の画像データの上位ビット・データに基づいて、入力される画像データに対して光透過率の立上がり／立下がりをより急峻にするよう変更した画像データである修正データを特定することは、当業者が容易になし得たことである。そして、かかる適用により、表示対象のフレームは、現在のフレームとなる。
　
　したがって、上記相違点２、３に係る本願発明の発明特定事項は、当業者が引用発明１及び引用発明２に基づいて容易に想到し得たことである。
　
相違点４について
　引用発明１の発明の効果を説明する上記記載事項６には、「【００２０】【発明の効果】以上詳記した如く本発明によれば、表示用画像データを１フレーム単位で記憶する２つの画像メモリと、これらの２つの画像メモリそれぞれから読出される各１フレーム分の画像データの変化に従って同一画像データに対するｍ回（ｍ＝２，３，…）の駆動データを変化させて出力するデータ変換回路とを備え、このデータ変換回路より出力される画像データに基づいて液晶表示パネルを表示駆動するようにしたので、画像データの変化に対応してその光透過率の立上りあるいは立下がりを急峻にし、変化の応答速度を高めて、表示品質を損なうことなく急激に変化する画像に対しても迅速に追随させることが可能な液晶パネル駆動装置を提供することができる。」と記載されている。
　すなわち、引用発明１は、「画像データの変化に対応してその光透過率の立上りあるいは立下がりを急峻にし、変化の応答速度を高めて、表示品質を損なうことなく急激に変化する画像に対しても迅速に追随させることが可能」となるように、同一画像データに対するｍ回（ｍ＝２，３，…）の駆動データとして、初めの区間である最初の１回に、入力される画像データに対して光透過率の立上がり／立下がりをより急峻にするよう変更した画像データである修正データを、残りの区間である（ｍ−１）回に、入力される画像データをそのまま供給するものであり、修正データを表示する初めの区間である前半期間の長さは１フレーム期間の１／ｍ、入力される画像データをそのまま表示する残りの区間である後半期間の長さは１フレーム期間の（ｍ−１）／ｍとなっている。
　ここで、引用刊行物１において、時分割駆動方式における１フレームの駆動データの出力回数ｍを２回としたものが、上記記載事項５に、一実施例の説明として記載されている。しかしながら、上記（２Ａ−２−４）で述べたことから、引用発明１において、時分割駆動方法における１フレームの駆動データの出力回数ｍは、「ｍ＝２，３，…」と一般化されているものである。
　かかる引用発明１において、使用される液晶の粘性や、入力される画像データのフレーム周波数などに応じて、「画像データの変化に対応してその光透過率の立上りあるいは立下がりを急峻にし、変化の応答速度を高めて、表示品質を損なうことなく急激に変化する画像に対しても迅速に追随させることが可能」となる、適切なｍを設定すること、すなわち、修正データを表示する前半期間の長さである、１フレーム期間の１／ｍと、入力される画像データをそのまま表示する後半期間の長さである、１フレーム期間の（ｍ−１）／ｍとを調整可能とすることは、当業者が容易に想到し得た事項である。
　
　したがって、上記相違点４に係る本願補正発明の発明特定事項は、当業者が引用発明１に基づいて容易に想到し得たことである。
　
　なお、請求人は、審判請求書において、「１フレームの期間内において前半期間の長さと後半期間の長さとを可変に調整可能であることで、動的コントラスト及び色再現性をユーザの嗜好やユーザの視覚特性に応じて適切に設定することが可能となり、それぞれのユーザに適合した表示映像を提供することができます。」と主張している。
　しかしながら、本願の明細書において、「１フレームの期間内において、前半期間の長さと後半期間の長さとを可変に調整可能である」ことに関する記載は、段落【００４７】における「図７に示すように、１フレーム期間は奇数サブフレーム（ＯＳＦ）と偶数サブフレーム（ＥＳＦ）に分けられる。奇数サブフレーム（ＯＳＦ）と偶数サブフレーム（ＥＳＦ）のそれぞれの期間は、１フレームの期間内で適切に調整することができる。」なる記載があるのみである。また、発明の効果としては、段落【００５４】に、「上述のように、本発明による液晶表示装置の駆動方法及び装置は、フレームの前半期間に修正されたデータを液晶パネルに供給した後、フレームの残り後半の期間に正常データを印加することで、液晶パネルの輝度をフレームの前半に所望の水準まで高くすることができる。その結果、本発明による液晶表示装置の駆動方法及び装置は、動的コントラストと色再現性が向上し、表示品質がその分高くなる。」と記載されており、該記載は「フレームの前半期間に修正されたデータを液晶パネルに供給した後、フレームの残り後半の期間に正常データを印加する」ことに起因する効果が、「動的コントラストと色再現性が向上し、表示品質がその分高くなる」であることを意味するのみである。
　よって、「１フレームの期間内において前半期間の長さと後半期間の長さとを可変に調整可能であることで、動的コントラスト及び色再現性をユーザの嗜好やユーザの視覚特性に応じて適切に設定することが可能」となるとの上記請求人の主張は、本願の明細書または図面の記載に基づいたものではなく、そして、本願の優先日当時の技術常識に照らしても、本願の明細書に記載された技術的事項を総合することによって導き出される事項に基づくものでもない。
　したがって、本願の明細書または図面から把握される「１フレームの期間内において、前半期間の長さと後半期間の長さとを可変に調整可能」ことに起因する効果は、「動的コントラストと色再現性が向上し、表示品質がその分高くなる」との効果がより高くなるとの限りにおいて、その効果を認める。
　しかしながら、上記相違点４に関する検討で述べたことによれば、かかる効果は、引用発明１において、時分割駆動方法における１フレームでの駆動データの出力回数ｍとして、「画像データの変化に対応してその光透過率の立上りあるいは立下がりを急峻にし、変化の応答速度を高めて、表示品質を損なうことなく急激に変化する画像に対しても迅速に追随させることが可能」となるように、適切にｍを設定すれば、そのことから当然に、当業者に予測可能な効果に過ぎない。
　
　よって、本願補正発明によってもたらされる効果は、引用発明１及び引用発明２から想定することができない格別のものと認めることもできない。
　
　したがって、本願補正発明は、引用発明１及び引用発明２に基づいて当業者が容易に発明をすることができたものである。 
　
　よって、本願補正発明は、特許法第２９条第２項の規定により、特許出願の際独立して特許を受けることができない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
 　平成２１年１月２２日付け手続補正は上記のとおり却下されたので、本願の請求項１に係る発明（以下、「本願発明」という。）は、平成２０年４月１４日付けの手続補正により補正された明細書及び図面の記載からみて、請求項１に記載されたとおりのものと認める。（前記「２」の項参照。） 
 　 
４　引用刊行物 
　
　引用刊行物１に記載された発明、引用刊行物２に記載された発明はそれぞれ、前記「２　（２Ａ−２−５）」、前記「２（２Ｂ−２−４）」に記載されたとおりである。 
 　 
５　対比・判断
　
　本願発明は、前記「２」で検討した本願補正発明から、「現在のフレームの表示に係る前半期間」と「現在のフレームの表示に係る後半期間」についての限定事項である、「１フレームの期間内において、前半期間の長さと後半期間の長さとを可変に調整可能である」との発明特定事項を省いたものである。
　そうすると、本願発明の発明特定事項をすべて含み、さらに他の発明特定事項を付加したものに相当する本願補正発明が、前記「２　（４）当審の判断」に記載したとおり引用発明１及び引用発明２に基づいて当業者が容易に発明をすることができたものであるから、本願発明も同様の理由により、引用発明１及び引用発明２に基づいて当業者が容易に発明をすることができたものである。
　　 
６　むすび 
　以上のとおり、本願発明は、引用発明１及び引用発明２に基づいて当業者が容易に発明をすることができたものであるから、特許法第２９条第２項の規定により特許を受けることができない。 
　したがって、他の請求項に係る発明について審理するまでもなく、本願は拒絶すべきものである。
 　 
 　よって、結論のとおり審決する。